(57)【特許請求の範囲】
【請求項１】
複数個の家庭紙用薄葉紙をフィルムで包装した薄葉紙パックを複数個集合させてなるパック集合体を、クラフトパルプを主体として抄造したクラフトシートを使用してなり、中央部分に長さ方向或いは幅方向に沿って開封のための平行ミシン目を設けるとともに、該平行ミシン目間にクラフト紙製開封用テープを貼合して構成される開梱手段が設けられていて扁平に折畳まれているクラフト袋包装容器を上下に積層してある容器ストック部から機械的手段によって１枚の前記クラフト袋包装容器を繰り出させ、前記クラフト袋包装容器の開放部を機械的手段により大きく開放させて内部に収納し、前記クラフト袋包装容器の開放部を重合して再生可能なクラフト紙製の粘着性サイドテープで重合端部を封緘することを特徴とする家庭紙用薄葉紙パック集合体の梱包方法。
【請求項２】
請求項１に記載の発明において、前記クラフト袋包装容器のクラフトシートは単層、若しくは複層である家庭紙用薄葉紙パック集合体の梱包方法。
【発明の詳細な説明】
【０００１】
【発明の属する技術分野】
この発明は、複数の家庭紙用薄葉紙をフィルムで包装した薄葉紙パックを複数個集合させ、前記集合体を改良した方法により梱包するようにしたことを特徴とする家庭紙用薄葉紙パック集合体の梱包方法に関するものである。
【０００２】
【従来の技術】
一般的に、家庭紙用薄葉紙としては、トイレットペーパー、キッチンペーパー、ティッシュペーパー、インターホールド型トイレットペーパー、インターホールド型タオル等があり、これらの薄葉紙は晒パルプ又は古紙パルプを原料として抄かれたペーパーシートをロール状や平判、或いは平判を折りたたんだものである。従来では、製紙メーカーで抄かれたペーパーシートの家庭紙用薄葉紙は、所定個数ずつフィルム包装したのち段ボール箱詰めして出荷される。最近のトイレットロールの包装形態は、ポリエチレンフィルム等の樹脂フィルムを使用して、１２ロール、１６ロール、１８ロールあるいは２４ロールの単位でまとめてパック詰めしたのち、さらにこのパック詰品を４個、６個、或いは８個（標準は１２薄葉紙×８パック）づつ、主に段ボール箱に収納して封印し、出荷先にまで運搬して供給している。
【０００３】
【発明が解決しようとする課題】
しかし従来の段ボール箱による包装方法では、包装する薄葉紙数やパック数に応じて使用する段ボール箱を取り替えていかなければならないため、切替のための減産損が発生して、結果として包装費が高くつく。これが家庭紙用薄葉紙の価格に影響を及ぼすと同時に、出荷先ではパック品を取り出したのちの使用ずみ段ボール空箱は嵩張るばかりでなく、収集に手間を要するので極めて不経済であり、近年問題となっている包装ゴミの減量化や資源循環型社会に逆行することになってしまう。しかも、周知のように家庭紙用薄葉紙は価格が低廉なこともあって近年多量に消費される傾向にあるが、段ボール箱による包装は、工場コストが高くつくのでコスト割れになりかねない。また段ボール箱は流通後の段階で解体、包装ゴミと化して廃棄されるため、段ボールの省資源化は卸店や小売り店など流通業者にとって近年大きな関心事となっている。
【０００４】
なお廃棄された使用済みの段ボール空箱の多くは、古紙として回収することが行われるが、多量の家庭紙用薄葉紙を取り扱う量販店では、使用済み段ボール空箱が多量に発生するのでその処理のために人手を必要とするだけでなく、空箱の量が増えると嵩張る結果、空箱を保管する広いストックヤードを必要とするので、更にコストアップとなるという問題が指摘されている。
【０００５】
そこで包装費のコストダウン、包装ゴミの減量化を図るため、薄葉紙パック詰め品を段ボール箱に代えて単層や複層のクラフト紙でオーバーラッピング包装することが過去に提案されている。しかし、この包装形態は、段ボール包装に較べて商品保護性が若干低いので、運搬中に強い外力を受けると紙が破断しやすく、破断すると内容物が露出し、さらに内容物である薄葉紙集合体が毀損され、商品価値を損ねるというトラブルが生じ、従来の段ボール包装に較べて歩留まりが悪くてロスの発生率が高かった。さらに封印はガムテープで行うが、使用後に古紙として回収できるクラフト紙とゴミとなるシール用ガムテープとに分別しなければならないという煩わしい問題がある。従って、回収に当ってはガムテープがゴミとして発生すると共に、クラフト紙とガムテープとを混ぜて回収できないという理由によって流通段階では敬遠されている。
【０００６】
前記した問題点に鑑み、本発明の主たる目的は、家庭紙用薄葉紙パックの集合体を複数個集合させて、基本的にはクラフトシートを使用したクラフト包装袋によってクラフト袋包装するのであって、使用する梱包用包装材が破断伸びの高い紙層により単層若しくは複層で構成され、このクラフト紙の紙層に対し開封のためのミシン目状等の易切断線及び開封テープ等からなる開梱手段が予め設けられ、かつ、再生可能な粘着性サイドテープによりサイドシール部が封緘されている家庭紙用薄葉紙集合体の梱包方法を提案することにある。
【０００７】
【課題を解決するための手段】
前記目的を達成するために、本発明は、複数個の家庭紙用薄葉紙をフィルムで包装した薄葉紙パックを複数個集合させてなるパック集合体を、クラフトパルプを主体として抄造したクラフトシートを使用してなり、中央部分に長さ方向或いは幅方向に沿って開封のための平行ミシン目を設けるとともに、該平行ミシン目間にクラフト紙製開封用テープを貼合して構成される開梱手段が設けられていて扁平に折畳まれているクラフト袋包装容器を上下に積層してある容器ストック部から機械的手段によって１枚の前記クラフト袋包装容器を繰り出させ、前記クラフト袋包装容器の開放部を機械的手段により大きく開放させて内部に収納し、前記クラフト袋包装容器の開放部を重合して再生可能なクラフト紙製の粘着性サイドテープで重合端部を封緘することを特徴とする。
【０００８】
また本発明によれば、請求項１に記載の発明において、前記クラフト袋包装容器のクラフトシートは単層、若しくは複層である。
【０００９】
【発明の実施の形態】
以下、本発明による家庭紙用薄葉紙パック集合体の梱包方法を添付した図面の実施の形態に基づき説明する。本発明の家庭紙用薄葉紙パック１１は、前述したようにトイレットペーパー薄葉紙、キッチンペーパー薄葉紙などの家庭紙用薄葉紙１２を、１２薄葉紙、１６薄葉紙、１８薄葉紙あるいは２４薄葉紙の単位でまとめてポリエチレンフィルムなどの樹脂フィルム１３を使用してパック詰めしたもので、またパック集合体１とは、前記家庭紙用薄葉紙パック１１を複数個集合させたものである。
【００１０】
本発明によれば、前記薄葉紙パック１１の複数個のパック集合体１を、クラフトパルプを主体として抄造したクラフトシートを使用した一端が開放する袋状のクラフト袋包装容器２に開放部３から収納し、前記包装容器２の開放部３を重合して再生可能な粘着性サイドテープ４により重合端部を封緘して梱包体５を構成するようにした。
【００１１】
前記クラフト袋包装容器２は、前述の通り、クラフトパルプを主体として抄造したクラフトシートを１枚の単層、若しくは複数枚の複層で使用するもので、クラフトシートそのものは、具体的には破断伸びが縦２．０％以上、横４．０％以上の伸張性能を付与した紙により構成されている。紙の坪量は特に限定しないが、３０〜２００ｇ／ｍ2の範囲で適宜選択する。坪量が上記範囲より小さいと梱包体５の強度が劣り、逆に大きな単層のみの場合には加工性や流通段階での破損の点で好ましくない。
【００１２】
図３は、本発明による家庭紙用薄葉紙パック集合体の梱包体５の製造工程の一例を示すもので、第１工程Ａでは、扁平に折り畳まれているクラフト袋包装容器２を上下に積層してある容器ストック部から、機械的手段によって１枚の包装容器２を繰り出させ、第２工程Ｂでは、繰り出した包装容器２の開放部３を機械的手段によって大きく開放させるとともに複数の前記パック集合体１を開放部３から包装容器２の内部に収納する。
【００１３】
そして、次の第３工程Ｃでは、前記クラフト袋包装容器２の開放部３を重合して再生可能な粘着性サイドテープ４により封緘することにより梱包体５を構成し、第４工程Ｄでは梱包体５を反転し、搬送して整列させる。
【００１４】
前記クラフト袋包装容器２には、長さ方向或いは幅方向に沿って開封のための平行ミシン目を設けるとともに、該平行ミシン目間にクラフト紙製開封用テープ６を有する開梱手段７が設けてある。前記開梱手段７は、例えばクラフトシートにミシン目刻設装置によって２重形の平行ミシン目を刻設し、クラフトシートの内面側において、平行ミシン目間にクラフト紙製開封用テープ６を貼合して構成する。この場合、開封用テープ６の一端をクラフト袋包装容器２の表面から延在させると、開封時に延在部分を摘み上げるだけでよい。
【００１５】
なお、前記した再生可能な粘着性のサイドテープ４としては、ポリエチレンを含有していない、未晒クラフト紙製又は晒クラフト紙製テープ等（商品名：クラフトリサイクルテープ、クラフトリサイクルさらしテープ・・王子タック社製）を使用することができる。
【００１６】
以上本発明を図面に示す実施の形態に基づいて説明したが、本発明は前記実施の形態に限定されるものではなく、特許請求の範囲に記載の構成を変更しない限り、どのようにでも実施することができる。例えば、本発明で使用するクラフト袋包装容器２のクラフトシートとしては、クラフト紙を２枚重ねた複層に限るものではなく、坪量：１５０ｇ／ｍ2以上のクラフト紙であれば強度があるので単層でもよい。また、梱包過程、工程及び手段も前記実施の形態に限定されるものではない。
【００１７】
【発明の効果】
以上説明したように本発明は、複数個の家庭紙用薄葉紙をフィルムで包装した薄葉紙パックを複数個集合させてなるパック集合体を、クラフトパルプを主体として抄造したクラフトシートを使用してなり、中央部分に長さ方向或いは幅方向に沿って開封のための平行ミシン目を設けるとともに、該平行ミシン目間にクラフト紙製開封用テープを貼合して構成される開梱手段が設けられていて扁平に折畳まれているクラフト袋包装容器を上下に積層してある容器ストック部から機械的手段によって１枚の前記クラフト袋包装容器を繰り出させ、前記クラフト袋包装容器の開放部を機械的手段により大きく開放させて内部に収納し、前記クラフト袋包装容器の開放部を重合して再生可能なクラフト紙製の粘着性サイドテープで重合端部を封緘することを特徴とする家庭紙用薄葉紙パック集合体の梱包方法に関するものである。
【００１８】
したがって、本発明によれば、従来の段ボール包装に比べ、包装費のコストダウン、包装ゴミの減量化を図ることができ、包装材料使用量が対重量比において約３０％以下になる効果を有する。さらに本発明の梱包体には、開封のための平行ミシン目を設けるとともに、該平行ミシン目間にクラフト紙製開封用テープを貼合して構成される開梱手段が予め設けられているので、店頭での開梱時に省力化できる。
【００１９】
さらに本発明に係る梱包体は、使用する包装シートが２枚のクラフト紙を重ね合わせた構造とされているので、従来の段ボール包装に較べても商品保護性において、遜色のない家庭紙用薄葉紙パックの梱包体を製造できる。また本発明の梱包体は、包装材料のすべてが紙を主体をとする素材で形成されているので、再生処理が容易であり、分別処理問題が少ない点でも優れている。
【図面の簡単な説明】
【図１】  本発明による家庭紙用薄葉紙パック集合体の梱包体を示す全体斜視図である。
【図２】  同上家庭紙用薄葉紙パック集合体の梱包体の開梱時の斜視図である。
【図３】  本発明による家庭紙用薄葉紙パック集合体を梱包する過程の一例を示す工程図である。
【符号の説明】
１  家庭紙用薄葉紙パック集合体
２  クラフト袋包装容器
３  開放部
４  粘着性サイドテープ
５  梱包体
６  開封用テープ
７  開梱手段
１１  家庭紙用薄葉紙パック
１２  家庭紙用薄葉紙
１３  樹脂フィルム
【図１】
0004242592.tif 000002
【図２】
0004242592.tif 000003
【図３】
0004242592.tif 000004